(57)【要約】【課題】  天板と幕板を連動して折畳むことが可能であるとともに、前後に整列させてスタッキング可能な折畳み式テーブルにおいて、使用状態の折畳み式テーブルを左右に並べた際にも、左右の幕板間に隙間が生じないようにした折畳み式テーブルの幕板装置を提供する。【解決手段】  幕板３は、主幕板３Ａの両側に該主幕板に対して変位可能となして補助幕板３Ｂを配置した構造であり、幕板の横幅を天板２の横幅と略一致させるとともに、スタッキング時に主幕板に対して補助幕板が変位し、補助幕板が他の折畳み式テーブルの脚体１から退避する。脚体は前傾状態の主脚４と主脚の上下中間部に連結し前方下方へ延びた補助脚５とを有し、補助脚は、スタッキング時に両補助脚間に他の折畳み式テーブルの両主脚の嵌まり込みを許容し、スタッキング時に補助幕板が他の折畳み式テーブルの補助脚に押されて変位する。【選択図】        図５
2018047086.tif 000002
【特許請求の範囲】
【請求項１】
前後に整列させてスタッキング可能な構造の脚体を左右に配置し、両脚体の上端部に、天板の下面両側部を上下回動可能に連結するとともに、前記天板の後部下方に配した幕板を、左右両側において前記脚体と天板とにリンク連結して天板と幕板とを連動させ、前記天板が水平で前記幕板が天板後部下方に垂下した使用状態と、前記天板の前部を跳ね上げて、前記幕板が両脚体の後縁に沿った折畳み状態とを、とることが可能な折畳み式テーブルにおいて、前記幕板は、主幕板の両側に該主幕板に対して変位可能となして補助幕板を配置した構造であり、前記幕板の横幅を前記天板の横幅と略一致させるとともに、スタッキング時に前記主幕板に対して補助幕板が変位し、当該補助幕板が他の折畳み式テーブルの脚体から退避してなることを特徴とする折畳み式テーブルの幕板装置。
【請求項２】
前記脚体は、前傾状態の主脚と、該主脚の上下中間部に連結し前方下方へ延びた補助脚とを有し、前記補助脚は、スタッキング時に両補助脚間に他の折畳み式テーブルの両主脚の嵌まり込みを許容すべく、少なくとも下部が前記主脚よりも外側に位置し、スタッキング時に前記補助幕板が他の折畳み式テーブルの脚体の補助脚に押されて自動的に変位してなる請求項１記載の折畳み式テーブルの幕板装置。
【請求項３】
前記幕板は、折畳み状態において、略鉛直方向を向く支軸を備えたヒンジにて前記主幕板の側端部と前記補助幕板の側端部を回動可能に連結し、スタッキング時に前記主幕板に対して補助幕板が、他の折畳み式テーブルの脚体の補助脚の内側へ回動変位して退避してなる請求項２記載の折畳み式テーブルの幕板装置。
【請求項４】
前記幕板は、折畳み状態において、水平方向を向く支軸を備えたヒンジにて前記主幕板の上端部と前記補助幕板の上端部を回動可能に連結し、スタッキング時に前記主幕板に対して補助幕板が、他の折畳み式テーブルの脚体の補助脚の上側へ回動変位して退避してなる請求項２記載の折畳み式テーブルの幕板装置。
【請求項５】
前記幕板は、スタッキング状態から脱した際に、前記補助幕板が前記主幕板と外形が連続するように、弾性的に回動復帰してなる請求項１〜４何れか１項に記載の折畳み式テーブルの幕板装置。
【発明の詳細な説明】
【技術分野】
【０００１】
本発明は、折畳み式テーブルの幕板装置に係わり、更に詳しくは天板と幕板を連動して折畳むことが可能であるとともに、前後に整列させてスタッキング可能な折畳み式テーブルの幕板装置に関するものである。
【背景技術】
【０００２】
従来から、左右の脚体の上端部に、天板の下面両側部を上下回動可能に連結するとともに、前記天板の後部に配した幕板を天板の動作と連動させてリンク連結し、天板が略水平で幕板が略垂直な使用状態と、天板を上方へ回動させて該天板と幕板とを両脚体の後縁に沿った折畳み状態とを実現できる折畳み式テーブルは各種提供されている。
【０００３】
例えば、特許文献１には、前後にスタッキング可能な構造の脚体を左右に配置し、両脚体の上端部に、天板の下面両側部を上下回動可能に連結するとともに、前記天板の後部下方に配した幕板を、左右両側において一対の上下リンク杆にて脚体にリンク連結するとともに、該上リンク杆と天板後部とを連動杆にてリンク連結して天板と幕板とを連動させ、天板が水平で幕板が天板後部下方に接近して垂下した使用状態と、天板の前部を跳ね上げて、幕板が両脚体の後縁に沿った折畳み状態とをとることが可能な折畳み式テーブルが開示されている。
【０００４】
ここで、特許文献１に記載の折畳み式テーブルでは、前記脚体は、前傾状態の主脚の上下中間部から前方下方へ延びた補助脚を連結し、該補助脚は前方になるにつれて僅かに外側に開いた構造であり、左右の両補助脚間に前方に位置する折畳み式テーブルの両主脚が嵌まり込み、前後に整列させてスタッキング（並行スタッキング）可能にしている。
【０００５】
ところで、天板と幕板が折畳み状態では、幕板が脚体の下部に位置するので、前後スタッキング時に幕板と後方の折畳み式テーブルの脚体とが干渉しないようにするために、幕板の両端は主脚より外側方へ突出しないように設定する必要がある。そうすると、並行スタッキング時に左右の両補助脚間に前方に位置する折畳み式テーブルの幕板が主脚といっしょに嵌まり込むようになる。一方、天板と幕板が使用状態の折畳み式テーブルを左右に並べた際に、左右の天板同士が接触して連続した天板面を構成すべく、天板の側端は脚体（補助脚）よりも外側方に位置するように設定されている。従って、使用状態の折畳み式テーブルを左右に並べた際に、必然的に左右の幕板間に隙間が形成され、後方から見ると、両天板の接合部の下方に前後に透視し得る空間が形成されるので、幕板本来の目隠し機能を損なうばかりでなく、外観性も劣ることになる。
【０００６】
尚、主脚に対する補助脚の連結位置を下げて、折畳み状態においても幕板よりも補助脚の位置が下方にあれば、幕板の横幅を天板の横幅に一致させても、並行スタッキング時に幕板と後方の折畳み式テーブルの補助脚とが干渉しないが、その場合、脚体の意匠が制限されるとともに、幕板の上下寸法が小さくなって幕板本来の目隠し機能を損なうことになる。
【先行技術文献】
【特許文献】
【０００７】
【特許文献１】特開２００４−１２１４４０号公報
【発明の概要】
【発明が解決しようとする課題】
【０００８】
そこで、本発明が前述の状況に鑑み、解決しようとするところは、天板と幕板を連動して折畳むことが可能であるとともに、前後に整列させてスタッキング可能な折畳み式テーブルにおいて、使用状態の折畳み式テーブルを左右に並べた際にも、左右の幕板間に隙間が生じないようにした折畳み式テーブルの幕板装置を提供する点にある。
【課題を解決するための手段】
【０００９】
本発明は、前述の課題解決のために、以下に構成する折畳み式テーブルの幕板装置を提供する。
【００１０】
（１）
前後に整列させてスタッキング可能な構造の脚体を左右に配置し、両脚体の上端部に、天板の下面両側部を上下回動可能に連結するとともに、前記天板の後部下方に配した幕板を、左右両側において前記脚体と天板とにリンク連結して天板と幕板とを連動させ、前記天板が水平で前記幕板が天板後部下方に垂下した使用状態と、前記天板の前部を跳ね上げて、前記幕板が両脚体の後縁に沿った折畳み状態とを、とることが可能な折畳み式テーブルにおいて、前記幕板は、主幕板の両側に該主幕板に対して変位可能となして補助幕板を配置した構造であり、前記幕板の横幅を前記天板の横幅と略一致させるとともに、スタッキング時に前記主幕板に対して補助幕板が変位し、当該補助幕板が他の折畳み式テーブルの脚体から退避してなることを特徴とする折畳み式テーブルの幕板装置。
【００１１】
（２）
前記脚体は、前傾状態の主脚と、該主脚の上下中間部に連結し前方下方へ延びた補助脚とを有し、前記補助脚は、スタッキング時に両補助脚間に他の折畳み式テーブルの両主脚の嵌まり込みを許容すべく、少なくとも下部が前記主脚よりも外側に位置し、スタッキング時に前記補助幕板が他の折畳み式テーブルの脚体の補助脚に押されて自動的に変位してなる（１）記載の折畳み式テーブルの幕板装置。
【００１２】
（３）
前記幕板は、折畳み状態において、略鉛直方向を向く支軸を備えたヒンジにて前記主幕板の側端部と前記補助幕板の側端部を回動可能に連結し、スタッキング時に前記主幕板に対して補助幕板が、他の折畳み式テーブルの脚体の補助脚の内側へ回動変位して退避してなる（２）記載の折畳み式テーブルの幕板装置。
【００１３】
（４）
前記幕板は、折畳み状態において、水平方向を向く支軸を備えたヒンジにて前記主幕板の上端部と前記補助幕板の上端部を回動可能に連結し、スタッキング時に前記主幕板に対して補助幕板が、他の折畳み式テーブルの脚体の補助脚の上側へ回動変位して退避してなる（２）記載の折畳み式テーブルの幕板装置。
【００１４】
（５）
前記幕板は、スタッキング状態から脱した際に、前記補助幕板が前記主幕板と外形が連続するように、弾性的に回動復帰してなる（１）〜（４）何れか１に記載の折畳み式テーブルの幕板装置。
【発明の効果】
【００１５】
以上にしてなる本発明の折畳み式テーブルの幕板装置は、以下の効果を奏する。
【００１６】
（１）の構成によれば、使用状態の折畳み式テーブルを左右に並べた際に、左右の天板同士が接触して連続した天板面を構成するとともに、左右の幕板同士、つまり左右の幕板の補助幕板同士が接触、若しくは接近して、隙間を生じさせないので、幕板による目隠し機能が発揮され、また折畳み状態の折畳み式テーブルを前後に整列させてスタッキングする場合には、前記主幕板に対して補助幕板が変位し、当該補助幕板が他の折畳み式テーブルの脚体から退避するので、収納のスペース効率が良い。
【００１７】
（２）の構成によれば、脚体の意匠が制限されず、従来と同様な意匠性の高い脚体を採用しても並列スタッキングが可能であるとともに、スタッキング時に前記補助幕板が他の折畳み式テーブルの脚体の補助脚に押されて自動的に変位するので、手間がかからない。
【００１８】
（３）及び（４）の構成によれば、スタッキング時に前記主幕板に対して補助幕板が、他の折畳み式テーブルの脚体の補助脚の内側若しくは上側へ回動変位して退避するので、スタッキング作業が容易である。
【００１９】
（５）の構成によれば、スタッキング状態から脱した際に、前記補助幕板が前記主幕板と外形が連続するように自動的に回動復帰するので、手間がかからない。
【図面の簡単な説明】
【００２０】
【図１】本発明に係る折畳み式テーブルの斜視図である。
【図２】本発明の第１実施形態の折畳み式テーブルの側面図である。
【図３】同じく使用状態の折畳み式テーブルを左右に並べた状態の背面図である。
【図４】同じく天板を省略した部分平面図である。
【図５】第１実施形態の折畳み式テーブルの並行スタッキング状態を示す斜視図である。
【図６】同じく並行スタッキング状態を示す側面図である。
【図７】本発明の第２実施形態の折畳み式テーブルの側面図である。
【図８】同じく使用状態の折畳み式テーブルを左右に並べた状態の背面図である。
【図９】第１実施形態の折畳み式テーブルの並行スタッキング状態を示す斜視図である。
【図１０】同じく並行スタッキング状態を示す側面図である。
【発明を実施するための形態】
【００２１】
次に本発明の実施の形態を添付図面に基づき更に詳細に説明する。図１は、本発明に係る折畳み式テーブルを背後から見た使用状態における全体斜視図、図２〜図６は第１実施形態の折畳み式テーブルを示し、図７〜図１０は第２実施形態の折畳み式テーブルを示し、図中符号Ａは第１実施形態の折畳み式テーブル、Ｂは第２実施形態の折畳み式テーブル、１は脚体、２は天板、３は幕板をそれぞれ示している。
【００２２】
本発明に係る折畳み式テーブルＡ，Ｂは、左右の脚体１，１の上端部に、天板２の下面両側部を上下回動可能に連結するとともに、前記天板２の後部下方に配した幕板３を、左右両側において前記脚体１と天板２とにリンク連結して天板２と幕板３とを連動させ、前記天板２が水平で前記幕板３が天板２後部下方に垂下した使用状態（図１参照）と、前記天板２の前部を跳ね上げて、前記幕板３が両脚体１，１の後縁に沿った折畳み状態（図５、図６参照）とを、とることが可能な構造である。そして、前記脚体１の構造は、前記天板２と幕板３が折畳み状態で複数台の折畳み式テーブルを前後に整列させてスタッキング可能となっている。
【００２３】
本発明では複数台の折畳み式テーブルを前後に整列させてスタッキングした状態を「並列スタッキング状態」と称する。また、折畳み状態の折畳み式テーブルを、図５に示すように、前記天板２の表面（上面）を手前に向けた姿勢で、奥側の折畳み式テーブルに対して手前側の折畳み式テーブルを接近させて並行スタッキングする場合（正順スタッキング）と、逆に前記天板２の裏面（下面）を手前に向けた姿勢で、奥側の折畳み式テーブルに対して手前側の折畳み式テーブルを接近させて並行スタッキングする場合（逆順スタッキング）とがある。
【００２４】
先ず、前記脚体１は、図１〜図３に示すように、前傾状態の主脚４と、該主脚４の上下中間部に連結し前方下方へ延びた補助脚５とを有し、前記補助脚５は、スタッキング時に両補助脚５，５間に前方に位置する折畳み式テーブルＡの両主脚４，４の嵌まり込みを許容すべく、少なくとも下部が前記主脚４よりも外側に位置している。側面視において、前記主脚４は後方へ湾曲し、前記補助脚５は前方へ湾曲した形状となっており、それぞれ下端にキャスター６を設けている。
【００２５】
前記天板２は、平面視長方形であり、下面両側部に奥行方向を向いたブラケット７，７を固定し、該ブラケット７，７に前記脚体１の主脚４の上端部を水平横向きの回動軸８にて上下回動可能に連結している。ここで、前記天板２の左右両端は、前記脚体１，１よりも外側に位置するように寸法設定されており、使用状態で左右に並べて配置した際に、左右の天板２，２同士が接触して、面一に連続した天板面を構成するようにしている。
【００２６】
前記幕板３は、図１〜図３に示すように、主幕板３Ａの両側に該主幕板３Ａに対して変位可能となして補助幕板３Ｂ，３Ｂを配置した構造であり、前記幕板３の横幅を前記天板２の横幅と略一致させるとともに、スタッキング時に前記主幕板３Ａに対して補助幕板３Ｂが変位し、当該補助幕板３Ｂが他の折畳み式テーブルＡの脚体１、具体的には補助脚５から退避するように構成している。ここで、前記主幕板３Ａに対して補助幕板３Ｂ，３Ｂが変位する構造として、前記主幕板３Ａと補助幕板３Ｂを回動可能に連結する以外に、前記補助幕板３Ｂの全体若しくは前記主幕板３Ａに対する連結部がゴムのような可撓性材料で形成されていてもよい。また、スタッキング時に、前記補助幕板３Ｂが他の折畳み式テーブルＡの脚体１の補助脚５に押される仕様ではなく、手動で前記補助幕板３Ｂを退避方向に折畳んでからスタッキングさせるようにしてもよい。この際は、前記補助幕板３Ｂを退避位置で保持できるよう保持手段を設ける。
【００２７】
先ず、前記天板２と前記幕板３とを連動させる機構を、図１〜図３に基づいて説明する。この幕板連動機構は、左右の脚体１，１の主脚４，４の上端部に、天板２の下面両側部を前述のようにブラケット７，７を介して上下回動可能に回動軸８にて連結するとともに、前記天板２の後部下方に配した幕板３を、天板２後部下方に接近して垂下した使用状態と両脚体１，１の後縁に沿った折畳み状態との間を移動可能に前記天板２と連動させてリンク連結したものである。
【００２８】
具体的には、幕板連動機構は、前記天板２の後部下方に配した幕板３を、左右両側において一対の上リンク杆９と下リンク杆１０にて脚体１の主脚４の内側にリンク連結するとともに、該上リンク杆９の中間部と前記天板２の後部に位置するブケケット８の後部とを連動杆１１にてリンク連結して天板２と幕板３とを連動させた構造である。そして、使用状態おいて、前記天板２の後部下方に若干の隙間を設けて前記幕板３が垂下した状態となし、また前記天板２の前部を跳ね上げて折畳み状態とした際に、前記幕板３が前記脚体１の主脚４の後部に沿った位置になるように、前記上下リンク杆９，１０及び連動杆１１の長さと枢着位置を設定したのである。尚、前記上リンク杆９と下リンク杆１０は、前記幕板３の主幕板３Ａの両端部前面側にリンク連結されている。
【実施例１】
【００２９】
先ず、図２〜図６に基づいて本発明の折畳み式テーブルの幕板装置の第１実施形態を説明する。第１実施形態の前記幕板３は、折畳み状態において、略鉛直方向を向く支軸を備えたヒンジ１２，１２にて前記主幕板３Ａの側端部と前記補助幕板３Ｂの側端部を回動可能に連結し、スタッキング時に前記主幕板３Ａに対して補助幕板３Ｂが、他の折畳み式テーブルＡの脚体１の補助脚５の内側へ回動変位して退避するように構成した。
【００３０】
また、前記ヒンジ１２にはキックばね１３を内蔵し、スタッキング状態から脱した際に、前記補助幕板３Ｂが前記主幕板３Ａと外形が連続するように、弾性的に回動復帰するようにしている。尚、図示しないが、前記主幕板３Ａに対して前記補助幕板３Ｂが直線状に復帰した状態を維持するために、マグネットやストッパーを単独で、あるいは併用して前記主幕板３Ａや補助幕板３Ｂに設けている。
【００３１】
前記幕板３の主幕板３Ａの両端部は、図３に示すように、前記脚体１の主脚４の外側端と面一にするか、若干側方へ突出するように設定し、並行スタッキング時に主幕板３Ａに対して補助幕板３Ｂが容易に回動するようにしている。但し、主幕板３Ａの両端部を主脚４の外側端よりも大きく側方へ突出させることは、並行スタッキング時に主幕板３Ａの両端部が後方の折畳み式テーブルＡの脚体１の補助脚５と干渉するようになるので望ましくない。
【実施例２】
【００３２】
次に、図７〜図１０に基づいて本発明の折畳み式テーブルの幕板装置の第１実施形態を説明する。前記幕板３は、折畳み状態において、水平方向を向く支軸を備えたヒンジ１４にて前記主幕板３Ａの上端部と前記補助幕板３Ｂの上端部を回動可能に連結し、スタッキング時に前記主幕板３Ａに対して補助幕板３Ｂが、他の折畳み式テーブルＡの脚体１の補助脚５の上側へ回動変位して退避するように構成した。
【００３３】
この場合も、前記ヒンジ１４にはキックばね１５を内蔵し、スタッキング状態から脱した際に、前記補助幕板３Ｂが前記主幕板３Ａと外形が連続するように、弾性的に回動復帰するようにしている。尚、前記主幕板３Ａに対して前記補助幕板３Ｂが面一に復帰した状態を維持するために、マグネット１６やストッパーを単独で、あるいは併用して前記主幕板３Ａや補助幕板３Ｂに設けている。
【００３４】
この場合も、前記幕板３の主幕板３Ａの両端部は、図８に示すように、前記脚体１の主脚４の外側端と面一にするか、若干側方へ突出するように設定し、並行スタッキング時に主幕板３Ａに対して補助幕板３Ｂが容易に回動するようにしている。但し、主幕板３Ａの両端部を主脚４の外側端よりも大きく側方へ突出させることは、並行スタッキング時に主幕板３Ａの両端部が後方の折畳み式テーブルＡの脚体１の補助脚５と干渉するようになるので望ましくない。
【符号の説明】
【００３５】
Ａ，Ｂ  折畳み式テーブル、
１  脚体、
２  天板、
３  幕板、
３Ａ  主幕板、
３Ｂ  補助幕板、
４  主脚、
５  補助脚、
６  キャスター、
７  ブラケット、
８  回動軸、
９  上リンク杆、
１０  下リンク杆、
１１  連動杆、
１２  ヒンジ、
１３  キクばね、
１４  ヒンジ、
１５  キックばね、
１６  マグネット。
【図１】
2018047086.tif 000003
【図２】
2018047086.tif 000004
【図３】
2018047086.tif 000005
【図４】
2018047086.tif 000006
【図５】
2018047086.tif 000007
【図６】
2018047086.tif 000008
【図７】
2018047086.tif 000009
【図８】
2018047086.tif 000010
【図９】
2018047086.tif 000011
【図１０】
2018047086.tif 000012